(57)【要約】【課題】リモコン装置に揺動自在に開閉する蓋体が設けられているものでは、蓋体が開いている状態で蓋体に外力が作用しても、蓋体がリモコン本体から外れないように設計されている。ところが、蓋体に大きな外力が作用した場合、蓋体が外れないように設計されていると、蓋体の連結部分などが破損し、蓋体が機能しなくなるという不具合が生じる。【解決手段】蓋体を本体側に連結する揺動軸の軸線に沿って、軸線の長手方向の少なくとも一方に対して移動することによって蓋体が本体側から外れるように構成すると共に、蓋体に対して所定の大きさの外力がこの蓋体の外れる方向へ作用するまでは蓋体の移動を規制する規制手段を設けた。【選択図】  図４
2019036929.tif 000002
【特許請求の範囲】
【請求項１】
壁面に固定されるリモコン装置であって、壁面に固定された状態で前面となる面に、揺動自在に開閉する蓋体が設けられているものにおいて、この蓋体を本体側に連結する揺動軸の軸線に沿って、軸線の長手方向の少なくとも一方に対して移動することによって蓋体が本体側から外れるように構成すると共に、蓋体に対して所定の大きさの外力がこの蓋体の外れる方向へ作用するまでは蓋体の移動を規制する規制手段を設けたことを特徴とするリモコン装置。
【請求項２】
上記揺動軸は蓋体の両端部に各々形成されており、上記規制手段をこれら両端部の揺動軸に挟まれた位置に設けたことを特徴とする請求項１に記載のリモコン装置。
【請求項３】
上記規制手段は、本体側に形成された突起と、蓋体に設けられ、この突起に当接する当接部とで構成され、蓋体に対して上記所定の大きさの外力が作用すると、蓋体が撓んで、この当接部が上記突起を乗り越えることによって蓋体が外れる方向に移動することを特徴とする請求項１または請求項２に記載のリモコン装置。
【請求項４】
上記当接部に隣接して第２の当接部を形成し、当接部が上記突起を乗り越えても突起が第２の当接部に当接して外れる方向への蓋体の移動を規制し、蓋体が本体側から完全に外れることを防止することを特徴とする請求項３に記載のリモコン装置。
【発明の詳細な説明】
【技術分野】
【０００１】
本発明は、壁面に固定されるリモコン装置であって、揺動自在に開閉する蓋体を備えたリモコン装置に関する。
【背景技術】
【０００２】
例えば浴室の壁面に固定される風呂リモコンと呼ばれるリモコン装置では、リモコン装置の前面に液晶表示部や各種の操作を行うための複数個の操作ボタンが設けられている。これら複数個の操作ボタンのうちには、使用頻度の高いものと低いものとが存在する。リモコン装置のデザイン上の要請から、使用頻度の高い操作ボタンは常時露出しているが、使用頻度の低い操作ボタンは蓋体で隠すように構成したものが知られている。そして、その蓋体は上下方向に揺動するもののほか、左右方向に揺動するようにデザインされたものが知られている（例えば、特許文献１および特許文献２参照）。
【先行技術文献】
【特許文献】
【０００３】
【特許文献１】特開２０１０−２３９４７６号公報（図４）
【特許文献２】意匠登録公報第１３１５８２２号
【発明の概要】
【発明が解決しようとする課題】
【０００４】
上記の蓋体が開いている状態で人体などが蓋体に接触する場合が想定されるので、蓋体に外力が作用しても蓋体がリモコン本体から外れないように設計されている。ところが、蓋体に大きな外力が作用した場合、蓋体が外れないように設計されていると、蓋体の連結部分などが破損し、蓋体が機能しなくなるという不具合が生じる。特に、蓋体が横方向に揺動するタイプのものでは、蓋体が開閉途中の位置で停止することがあり、その状態では蓋体がリモコン本体から手前側に大きく突き出すことになり、蓋体に他のものが衝突しやすくなるので、蓋体が破損する可能性が大きくなる。
【０００５】
なお、蓋体に小さな外力が作用しても簡単に蓋体がリモコン本体から外れてしまうと、蓋体の破損は回避できるものの、蓋体が頻繁に外れることになり、使用勝手が低下するという新たな不具合が生じる。
【０００６】
そこで本発明は、上記の問題点に鑑み、開いている状態の蓋体に所定の大きさを超えた外力が作用した場合に、蓋体が揺動軸の軸線方向に移動して外力の影響を緩和することによって蓋体の破損を防止するリモコン装置を提供することを課題とする。
【課題を解決するための手段】
【０００７】
上記課題を解決するために本発明によるリモコン装置は、壁面に固定されるリモコン装置であって、壁面に固定された状態で前面となる面に、揺動自在に開閉する蓋体が設けられているものにおいて、この蓋体を本体側に連結する揺動軸の軸線に沿って、軸線の長手方向の少なくとも一方に対して移動することによって蓋体が本体側から外れるように構成すると共に、蓋体に対して所定の大きさの外力がこの蓋体の外れる方向へ作用するまでは蓋体の移動を規制する規制手段を設けたことを特徴とする。
【０００８】
通常は上記規制手段の作用により蓋体に対して外れる方向の外力が作用しても、蓋体は上記軸線に沿って移動しない。しかし、その外力が所定の大きさになると、規制手段による規制が解除されて、蓋体は軸線に沿って移動する。この移動によって外力による破損が防止される。
【０００９】
なお、上記揺動軸は蓋体の両端部に各々形成されており、上記規制手段をこれら両端部の揺動軸に挟まれた位置に設ければ、規制手段が目立つことがなく、デザイン性を損なうおそれがない。
【００１０】
ところで、上記規制手段は、本体側に形成された突起と、蓋体に設けられ、この突起に当接する当接部とで構成され、蓋体に対して上記所定の大きさの外力が作用すると、蓋体が撓んで、この当接部が上記突起を乗り越えることによって蓋体が外れる方向に移動するように構成することが考えられる。
【００１１】
また、上記当接部に隣接して第２の当接部を形成し、当接部が上記突起を乗り越えても突起が第２の当接部に当接して外れる方向への蓋体の移動を規制し、蓋体が本体側から完全に外れることを防止するようにしてもよい。
【発明の効果】
【００１２】
以上の説明から明らかなように、本発明は、リモコン装置に設けた、揺動することによって開閉する蓋体が開いている状態で、蓋体に所定の大きさの外力が作用しても、蓋体が破損することを防止することができる。
【図面の簡単な説明】
【００１３】
【図１】本発明によるリモコン装置の正面図
【図２】蓋体を分離した状態のカバーの斜視図
【図３】蓋体を分離した状態の正面図
【図４】規制手段の詳細を示す斜視図
【発明を実施するための形態】
【００１４】
図１を参照して、１は本発明によるリモコン装置の一例であり、浴室内の壁面に固定された状態を示している。このリモコン装置１には外部からの湯水が浸入しないように水密に形成されたケーシング（図示せず）の正面にカバー２が取り付けられている。ケーシングには設定された給湯温度や給湯装置の作動状態を表示する液晶表示部１１が設けられており、カバー２にはその液晶表示部１１を視認するための開口２１が形成されている。また、ケーシングの前面には使用頻度の高い操作スイッチ１２(本実施の形態では３個)が設けられているが、これら操作スイッチ１２を操作するための開口２２が形成されている。
【００１５】
ケーシングにはその他に使用頻度の低い操作スイッチが複数個設けられているが、それらの使用頻度の低い操作スイッチは、通常は蓋体３によって隠されており、使用する際には蓋体３を図において右側に揺動して開くことによって操作スイッチを露出させる。
【００１６】
図２および図３を参照して、蓋体３はカバー２に揺動自在に取り付けられている。カバー２の図において右側端部に上下一対に軸受部２４を形成した。そして、蓋体３に上下一対に形成した揺動軸部３１が軸受部２４に各々挿通されて軸支されることによって、蓋体３はカバー２に対して横方向に揺動自在に可動する。なお、２３は開口であり、上記使用頻度の少ない操作スイッチが臨むように形成されている。
【００１７】
軸受部２４には上端から切り欠き部２４ａが形成されており、軸受部２４に対して揺動軸部３１は上方から挿入されるのではなく、この切り欠き部２４ａを通って軸受部２４内に挿入される。そのため、揺動軸部３１は円柱形状ではなく互いに対向する平行な２面が形成されており、蓋体３を閉じた状態で軸受部２４に揺動軸部３１を軸支させると、蓋体３を開いた状態では揺動軸部３１が切り欠き部２４ａを通って軸受部２４から外れないようにした。
【００１８】
揺動軸部３１の下方にはストッパ部３２が形成されており、このストッパ部３２が軸受部２４の下端２４ｂに当接するまで蓋体３が上方に移動すると、揺動軸部３１は軸受部２４から外れて、蓋体３はカバー２から分離される。
【００１９】
ただし、多少の外力が蓋体３を上方に押し上げる方向に作用しても、蓋体３が上方に移動しないように規制して、蓋体３がカバー２から外れないようにする規制手段を設けた。図４を参照して、この規制手段はカバー２側に形成した突起２５と蓋体３側に形成した当接部３３とで構成される。すなわち、蓋体３を上方に移動するように外力が蓋体３に作用しても、当接部３３が突起２５に当接するため、蓋体３は上方に移動することはない。ただし、その外力が所定の大きさであると、蓋体３が弾性変形して撓み、当接部３３が外側に逃げて突起２５を乗り越えることによって蓋体３は上方に移動することになる。
【００２０】
なお、その上方への移動によって蓋体３が直ちにカバー２から分離されるように構成してもよいが、当接部３３の下方に第２の当接部３４を形成し、当接部３３が突起２５を乗り越えても第２の当接部３４が突起２５に当接して、蓋体３のそれ以上の移動を規制して、蓋体３がカバー２から完全に外れることを防止するようにした。
【００２１】
ところで、上記の構成では蓋体３は上方にしか移動できないので、突起２５の下方に当接部３３および第２の当接部３４を形成したが、蓋体３が上下いずれの方向にも移動できるように形成した場合には、蓋体３に下方への外力が作用した場合の当接部３５を設ける必要がある。また、上記実施の形態では蓋体３は横方向に揺動する場合について説明したが、本発明は上下方向に揺動して開閉する蓋体に適用しても構わない。更には突起２５が外力によって凹んで退避するように、片持ち状に形成してもよい。
【００２２】
なお、本発明は上記した形態に限定されるものではなく、本発明の要旨を逸脱しない範囲内において種々の変更を加えてもかまわない。
【符号の説明】
【００２３】
１ リモコン装置
２ カバー
３ 蓋体
１１ 液晶表示部
１２ 操作スイッチ
２４ 軸受部
２５ 突起
３１ 揺動軸部
３３ 当接部
３４ 第２の当接部
３５ 当接部
【図１】
2019036929.tif 000003
【図２】
2019036929.tif 000004
【図３】
2019036929.tif 000005
【図４】
2019036929.tif 000006